(57)【要約】【課題】操作性の良いタッチパネル式の操作表示装置を提供する。【解決手段】タッチパネル部にて第１操作を受けたとき、表示部に第１表示処理による表示を行い、第１操作の要素を操作の要素に含む第２操作を受けたとき、表示部に第１表示処理による表示と第２表示処理による表示の双方を行う。たとえば、第１表示処理の行われる第１操作をタッチした指先の移動量がｐ１未満の選択操作、第２表示処理の行われる第３操作を移動量がｐ２より多いフリック操作とし、選択操作かフリック操作かが曖昧な領域の操作を、第１表示処理による表示と第２表示処理による表示の双方が行われる第２操作とする。【選択図】図９
2015207295.tif 000002
【特許請求の範囲】
【請求項１】
タッチされた位置を検出するタッチパネル部と、
表示部と、
前記タッチパネル部にて特定箇所にタッチする第１操作を受けたとき、前記表示部に第１表示処理によって前記タッチされた箇所に対応する情報の表示を行い、
前記タッチパネル部にて前記第１操作の要素を含み前記タッチされた箇所を移動させる動作を伴う第２操作を受けたとき、前記表示部に、第２表示処理による、前記タッチされた箇所を移動させる表示と、前記第１表示処理による、移動前にタッチされた箇所に対応する情報の表示とを同じタイミングで行う表示制御部と、
を有する
ことを特徴とする操作表示装置。
【請求項２】
前記表示制御部は、前記第２表示処理によって前記タッチされた箇所を移動させる表示と、前記タッチされた箇所を移動させたときに、移動前にタッチされた箇所に対応する情報の表示を行った後、ユーザからいずれか一方の表示を肯定する操作を受け付けたとき、他方の表示を終了させるもしくは他方の表示によって生じた表示の変化を元に戻す
ことを特徴とする請求項１に記載の操作表示装置。
【請求項３】
タッチされた位置を検出するタッチパネル部と、
表示部と、
所定の指標に基づいて操作の種類を判定し、前記所定の指標の値が第１閾値未満の場合は、前記タッチパネル部にて第１操作を受けたと判定し、前記所定の指標の値が前記第１閾値以上かつ前記第１閾値より大きい第２閾値未満の範囲にある場合は、前記タッチパネル部にて第２操作を受けたと判定し、前記所定の指標の値が前記第２閾値以上の場合は、前記タッチパネル部にて第３操作を受けたと判定し、前記タッチパネル部にて第１操作を受けたとき、前記表示部に第１表示処理による表示を行い、前記タッチパネル部にて前記第２操作を受けたとき、前記表示部に前記第１表示処理による表示と第２表示処理による表示の双方を行い、前記タッチパネル部にて第３操作を受けたとき、前記第１表示処理を行わずに、前記第２表示処理による表示を行う表示制御部と、
を有する
ことを特徴とする操作表示装置。
【請求項４】
前記第１操作は、特定箇所にタッチする選択操作であり、
前記第２操作は、タッチした後そのタッチ箇所を移動させる動作を伴う操作である
ことを特徴とする請求項３に記載の操作表示装置。
【請求項５】
前記表示制御部は、タッチ箇所の移動距離が第１閾値未満の場合は前記第１操作を受けたと判定して前記第２表示処理による表示は行わずに前記第１表示処理による表示を行い、タッチ箇所の移動距離が第１閾値以上かつ第１閾値より大きい第２閾値未満の範囲にあるときは前記第２操作を受けたと判定して前記第１表示処理による表示と前記第２表示処理による表示の双方を行い、タッチ箇所の移動距離が前記第２閾値以上の場合は第３操作を受けたと判定して前記第１表示処理による表示は行わずに前記第２表示処理による表示を行う
ことを特徴とする請求項１、２および４のいずれか１つに記載の操作表示装置。
【請求項６】
タッチされた位置を検出するタッチパネル部と、
表示部と、
前記タッチパネル部にて特定箇所にタッチする選択操作である第１操作を受けたとき、前記表示部に第１表示処理による表示を行い、前記タッチパネル部にて、前記第１操作の要素を含みタッチした後そのタッチ箇所を移動させる動作を伴う操作である第２操作を受けたとき、前記表示部に前記第１表示処理による表示と第２表示処理による表示の双方を行う表示制御部と、
を有し、
前記表示制御部は、タッチ箇所の移動距離が第１閾値未満の場合は前記第１操作を受けたと判定して前記第２表示処理による表示は行わずに前記第１表示処理による表示を行い、タッチ箇所の移動距離が第１閾値以上かつ第１閾値より大きい第２閾値未満の範囲にあるときは前記第２操作を受けたと判定して前記第１表示処理による表示と前記第２表示処理による表示の双方を行い、タッチ箇所の移動距離が前記第２閾値以上の場合は第３操作を受けたと判定して前記第１表示処理による表示は行わずに前記第２表示処理による表示を行う
ことを特徴とする操作表示装置。
【請求項７】
タッチされた位置を検出するタッチパネル部と、
表示部と、
前記タッチパネル部にて第１操作を受けたとき、前記表示部にポップアップウィンドウを表示する処理である第１表示処理による表示を行い、前記タッチパネル部にて前記第１操作の要素を含む第２操作を受けたとき、前記表示部に前記第１表示処理による表示とオブジェクトをスクロールさせて表示する処理である第２表示処理による表示の双方を行う表示制御部と、
を有し、
前記表示制御部は、前記第１表示処理による表示と前記第２表示処理による表示の双方を行う場合に、前記第２表示処理にてスクロールさせるオブジェクトの少なくとも一部が見えるように、前記第１表示処理によりポップアップウィンドウを表示し、前記第２表示処理によってスクロールさせるオブジェクトの該スクロール前の表示位置を記憶しておき、前記第１表示処理で表示したポップアップウィンドウの表示を肯定する操作を受けたとき、前記第２表示処理でスクロールさせたオブジェクトをスクロール前の位置に戻して表示する
ことを特徴とする操作表示装置。
【請求項８】
前記第１表示処理は、ポップアップウィンドウを表示する処理であり、
前記第２表示処理は、オブジェクトをスクロールさせて表示する処理であり、
前記表示制御部は、前記第１表示処理による表示と前記第２表示処理による表示の双方を行う場合に、前記第２表示処理にてスクロールさせるオブジェクトの少なくとも一部が見えるように、前記第１表示処理によりポップアップウィンドウを表示する
ことを特徴とする請求項１乃至６のいずれか１つに記載の操作表示装置。
【請求項９】
前記表示制御部は、前記第１表示処理による表示と前記第２表示処理による表示の双方を行う場合に、前記第２表示処理によってスクロールさせるオブジェクトの該スクロール前の表示位置を記憶しておき、前記第１表示処理で表示したポップアップウィンドウの表示を肯定する操作を受けたとき、前記第２表示処理でスクロールさせたオブジェクトをスクロール前の位置に戻して表示する
ことを特徴とする請求項８に記載の操作表示装置。
【請求項１０】
前記表示制御部は、前記第１表示処理による表示と前記第２表示処理による表示の双方を行っている状態で前記第２表示処理でスクロールさせたオブジェクトに対する操作を受けたとき、前記第１表示処理で表示したポップアップウィンドウを閉じる
ことを特徴とする請求項７乃至９のいずれか１つに記載の操作表示装置。
【請求項１１】
前記第１表示処理は、前記表示部に表示される画面を別の画面に遷移させる処理であり、
前記第２表示処理は、オブジェクトをスクロールさせて表示する処理であり、
前記表示制御部は、前記第１表示処理による表示と前記第２表示処理による表示の双方を行う場合は、前記第２表示処理によってオブジェクトをスクロールさせた場合の前記オブジェクトの移動後の位置を演算して記憶しておくと共に前記第１表示処理による別の画面への遷移を実行し、遷移先の画面から元の画面に戻ったとき、前記移動後の位置に前記オブジェクトを移動させた表示を行う
ことを特徴とする請求項１乃至６のいずれか１つに記載の操作表示装置。
【請求項１２】
タッチされた位置を検出するタッチパネル部と、
表示部と、
前記タッチパネル部にて第１操作を受けたとき、前記表示部にポップアップウィンドウを表示する処理である第１表示処理による表示を行い、前記タッチパネル部にて前記第１操作の要素を含む第２操作を受けたとき、前記表示部に前記第１表示処理による表示とオブジェクトをスクロールさせて表示する処理である第２表示処理による表示の双方を行う表示制御部と、
を有し、
前記表示制御部は、前記第１表示処理による表示と前記第２表示処理による表示の双方を行う場合に、前記第２表示処理にてスクロールさせるオブジェクトの少なくとも一部が見えるように、前記第１表示処理によりポップアップウィンドウを表示し、
前記表示制御部は、前記第１表示処理による表示と前記第２表示処理による表示の双方を行っている状態で前記第２表示処理でスクロールさせたオブジェクトに対する操作を受けたとき、前記第１表示処理で表示したポップアップウィンドウを閉じる
ことを特徴とする操作表示装置。
【請求項１３】
タッチされた位置を検出するタッチパネル部と、
表示部と、
前記タッチパネル部にて第１操作を受けたとき、前記表示部に表示される画面を別の画面に遷移させる第１表示処理によって前記タッチされた箇所に対応する情報の表示を行い、前記タッチパネル部にて前記第１操作の要素を含む第２操作を受けたとき、前記表示部に、前記第１表示処理による表示と、オブジェクトをスクロールさせて表示する第２表示処理による表示の双方を行う表示制御部と、
を有し、
前記表示制御部は、前記第１表示処理による表示と前記第２表示処理による表示の双方を行う場合は、前記第２表示処理によってオブジェクトをスクロールさせた場合の前記オブジェクトの移動後の位置を演算して記憶しておくと共に前記第１表示処理による別の画面への遷移を実行し、遷移先の画面から元の画面に戻ったとき、前記移動後の位置に前記オブジェクトを移動させた表示を行う
ことを特徴とする操作表示装置。
【請求項１４】
前記表示制御部は、前記第１表示処理による表示と前記第２表示処理による表示の双方を行った後、ユーザから前記第１表示処理と前記第２表示処理のいずれか一方を肯定する操作を受け付けたとき、他方の表示処理を終了させるもしくは他方の表示処理によって生じた表示の変化を元に戻す
ことを特徴とする請求項１３に記載の操作表示装置。
【請求項１５】
前記表示制御部は、所定の指標に基づいて操作の種類を判定し、前記所定の指標の値が第１閾値未満の場合は、前記タッチパネル部にて第１操作を受けたと判定し、前記所定の指標の値が前記第１閾値以上かつ前記第１閾値より大きい第２閾値未満の範囲にある場合は、前記タッチパネル部にて第２操作を受けたと判定し、前記所定の指標の値が前記第２閾値以上の場合は、前記タッチパネル部にて第３操作を受けたと判定し、前記タッチパネル部にて第１操作を受けたとき、前記表示部に第１表示処理による表示を行い、前記タッチパネル部にて前記第２操作を受けたとき、前記表示部に前記第１表示処理による表示と第２表示処理による表示の双方を行い、前記タッチパネル部にて第３操作を受けたとき、前記第１表示処理を行わずに、前記第２表示処理による表示を行う
ことを特徴とする請求項１３または１４に記載の操作表示装置。
【請求項１６】
前記第１操作は、特定箇所にタッチする選択操作であり、
前記第２操作は、タッチした後そのタッチ箇所を移動させる動作を伴う操作である
ことを特徴とする請求項１３乃至１５のいずれか１つに記載の操作表示装置。
【請求項１７】
前記表示制御部は、タッチ箇所の移動距離が第１閾値未満の場合は前記第１操作を受けたと判定して前記第２表示処理による表示は行わずに前記第１表示処理による表示を行い、タッチ箇所の移動距離が第１閾値以上かつ第１閾値より大きい第２閾値未満の範囲にあるときは前記第２操作を受けたと判定して前記第１表示処理による表示と前記第２表示処理による表示の双方を行い、タッチ箇所の移動距離が前記第２閾値以上の場合は第３操作を受けたと判定して前記第１表示処理による表示は行わずに前記第２表示処理による表示を行う
ことを特徴とする請求項１６に記載の操作表示装置。
【発明の詳細な説明】
【技術分野】
【０００１】
本発明は、タッチパネルにて操作を受け、その受けた操作に応じた表示処理を行う操作表示装置に関する。
【背景技術】
【０００２】
ユーザの指先やペンなどでタッチされた位置を検出するタッチパネルを用いた操作表示装置では、操作ボタンを選択する選択操作のほか、指先やペンをタッチさせたまま移動させるフリック操作やドラッグ操作など各種の操作を受けることができる。
【０００３】
このようなタッチパネル式の操作表示装置では、ユーザから受けた操作の種類をより正確に判定するための各種技術が提案されている。
【０００４】
たとえば、選択操作中に操作位置の微妙なズレが生じ得ることを考慮し、操作された位置の周囲エリアを検出エリアに設定し、この検出エリア内における操作位置の平均値を、最終的な操作位置に決定する技術がある（特許文献１参照）。
【０００５】
また、タッチ位置から指を離したアンタッチ位置までの移動量に応じて、その操作が選択操作であるかフリック操作などのジェスチャー操作であるかの判定を行う技術がある（特許文献２参照）。
【先行技術文献】
【特許文献】
【０００６】
【特許文献１】特開２００９−２４４９６７号公報
【特許文献２】特開２００９−１５１６９１号公報
【発明の概要】
【発明が解決しようとする課題】
【０００７】
選択操作やフリック操作などの操作中における押圧力、タッチ後の移動距離や移動速度などは操作するユーザによって様々であり、ユーザから受けた操作の種類を確実に識別することは難しい。たとえば、フリック操作においては、タッチした後、指を払う動作へ移行する際に押圧力が一瞬弱くなる場合があるので、この時点で指が離れたと装置が認識し、ユーザがフリック操作のつもりで行った操作を選択操作と誤判定する場合がある。
【０００８】
このようにユーザが行ったフリック操作を選択操作と誤判定した場合、ユーザの意図しない選択操作に係る処理が実行されるので、ユーザは、その処理をキャンセルした後、改めてフリック操作を、今度は、誤判定されないように気をつけて行わなければならず、多大な不便を受けていた。なお、静電容量式のタッチパネルでもこのような誤判定は生じるが、特に、抵抗膜式タッチパネルでは適度な押圧が無ければ指がタッチパネルに触れていると認識されないので、このような誤判定が生じ易かった。
【０００９】
このほか、通常は、１つの操作に対して１つの表示処理が対応付けられて実行される。このような構成では、２つの表示処理を実行させるために２種類の操作を別々に行わなければならず、不便な場合があった。
【００１０】
本発明は、上記の問題を解決しようとするものであり、操作性の良いタッチパネル式の操作表示装置を提供することを目的としている。たとえば、誤判定された操作をユーザがやり直す手間や不便を軽減したり、１つの操作で２つの操作に係る表示処理を実行させたりすることのできる操作表示装置の提供を目的としている。
【課題を解決するための手段】
【００１１】
かかる目的を達成するための本発明の要旨とするところは、次の各項の発明に存する。
【００１２】
［１］タッチされた位置を検出するタッチパネル部と、
表示部と、
前記タッチパネル部にて特定箇所にタッチする第１操作を受けたとき、前記表示部に第１表示処理によって前記タッチされた箇所に対応する情報の表示を行い、
前記タッチパネル部にて前記第１操作の要素を含み前記タッチされた箇所を移動させる動作を伴う第２操作を受けたとき、前記表示部に、第２表示処理による、前記タッチされた箇所を移動させる表示と、前記第１表示処理による、移動前にタッチされた箇所に対応する情報の表示とを同じタイミングで行う表示制御部と、
を有する
ことを特徴とする操作表示装置。
【００１３】
上記発明では、第１操作を受けたとき第１表示処理が行われ、第１操作の要素を含む第２操作を受けたとき第１表示処理と第２表示処理の双方が行われる。第２操作は、第１操作の全部または一部を操作の要素として含む操作である。
【００１４】
［２］前記表示制御部は、前記第２表示処理によって前記タッチされた箇所を移動させる表示と、前記タッチされた箇所を移動させたときに、移動前にタッチされた箇所に対応する情報の表示を行った後、ユーザからいずれか一方の表示を肯定する操作を受け付けたとき、他方の表示を終了させるもしくは他方の表示によって生じた表示の変化を元に戻す
ことを特徴とする［１］に記載の操作表示装置。
【００１５】
上記発明では、ユーザから一方の表示処理を肯定する操作を受けたことにより、他方の表示処理はユーザにとって不要な処理であると判断し、他方の表示処理を終了もしくは他方の表示処理の処理前の状態に戻す。これにより、ユーザにとって不要な他方の表示処理を終了させるための操作を別途行う手間がない。
【００１６】
［３］タッチされた位置を検出するタッチパネル部と、
表示部と、
所定の指標に基づいて操作の種類を判定し、前記所定の指標の値が第１閾値未満の場合は、前記タッチパネル部にて第１操作を受けたと判定し、前記所定の指標の値が前記第１閾値以上かつ前記第１閾値より大きい第２閾値未満の範囲にある場合は、前記タッチパネル部にて第２操作を受けたと判定し、前記所定の指標の値が前記第２閾値以上の場合は、前記タッチパネル部にて第３操作を受けたと判定し、前記タッチパネル部にて第１操作を受けたとき、前記表示部に第１表示処理による表示を行い、前記タッチパネル部にて前記第２操作を受けたとき、前記表示部に前記第１表示処理による表示と第２表示処理による表示の双方を行い、前記タッチパネル部にて第３操作を受けたとき、前記第１表示処理を行わずに、前記第２表示処理による表示を行う表示制御部と、
を有する
ことを特徴とする操作表示装置。
【００１７】
［４］前記第１操作は、特定の箇所にタッチする選択操作であり、
前記第２操作は、タッチした後そのタッチ箇所を移動させる動作を伴う操作である
ことを特徴とする［３］に記載の操作表示装置。
【００１８】
上記発明では、第２操作は、第１操作の要素である「特定の箇所へタッチする」という動作に「タッチ箇所を移動させる動作」を加えた操作である。
【００１９】
［５］前記表示制御部は、タッチ箇所の移動距離が第１閾値未満の場合は前記第１操作を受けたと判定して前記第２表示処理による表示は行わずに前記第１表示処理による表示を行い、タッチ箇所の移動距離が第１閾値以上かつ第１閾値より大きい第２閾値未満の範囲にあるときは前記第２操作を受けたと判定して前記第１表示処理による表示と前記第２表示処理による表示の双方を行い、タッチ箇所の移動距離が前記第２閾値以上の場合は第３操作を受けたと判定して前記第１表示処理による表示は行わずに前記第２表示処理による表示を行う
ことを特徴とする［１］、［２］および［４］のいずれか１つに記載の操作表示装置。
【００２０】
上記発明では、タッチ箇所の移動距離が僅か（第１閾値未満）の場合は選択操作（第１操作）と判定されて第１表示処理が行われ、移動距離が十分大きい（第２閾値より大きい）場合は第３操作（たとえば、フリック操作）と判定されて第２表示処理が行われる。一方、移動距離がそれらの中間（第１閾値以上かつ第２閾値未満）の場合は、ユーザの意図した操作が第１操作（選択操作）であるか第３操作（フリック操作等）であるかを明確に判定し難いので、そのような曖昧な操作を受けた場合は第１表示処理と第２表示処理の双方が行われる。
【００２１】
［６］タッチされた位置を検出するタッチパネル部と、
表示部と、
前記タッチパネル部にて特定箇所にタッチする選択操作である第１操作を受けたとき、前記表示部に第１表示処理による表示を行い、前記タッチパネル部にて、前記第１操作の要素を含みタッチした後そのタッチ箇所を移動させる動作を伴う操作である第２操作を受けたとき、前記表示部に前記第１表示処理による表示と第２表示処理による表示の双方を行う表示制御部と、
を有し、
前記表示制御部は、タッチ箇所の移動距離が第１閾値未満の場合は前記第１操作を受けたと判定して前記第２表示処理による表示は行わずに前記第１表示処理による表示を行い、タッチ箇所の移動距離が第１閾値以上かつ第１閾値より大きい第２閾値未満の範囲にあるときは前記第２操作を受けたと判定して前記第１表示処理による表示と前記第２表示処理による表示の双方を行い、タッチ箇所の移動距離が前記第２閾値以上の場合は第３操作を受けたと判定して前記第１表示処理による表示は行わずに前記第２表示処理による表示を行う
ことを特徴とする操作表示装置。
【００２２】
［７］タッチされた位置を検出するタッチパネル部と、
表示部と、
前記タッチパネル部にて第１操作を受けたとき、前記表示部にポップアップウィンドウを表示する処理である第１表示処理による表示を行い、前記タッチパネル部にて前記第１操作の要素を含む第２操作を受けたとき、前記表示部に前記第１表示処理による表示とオブジェクトをスクロールさせて表示する処理である第２表示処理による表示の双方を行う表示制御部と、
を有し、
前記表示制御部は、前記第１表示処理による表示と前記第２表示処理による表示の双方を行う場合に、前記第２表示処理にてスクロールさせるオブジェクトの少なくとも一部が見えるように、前記第１表示処理によりポップアップウィンドウを表示し、前記第２表示処理によってスクロールさせるオブジェクトの該スクロール前の表示位置を記憶しておき、前記第１表示処理で表示したポップアップウィンドウの表示を肯定する操作を受けたとき、前記第２表示処理でスクロールさせたオブジェクトをスクロール前の位置に戻して表示する
ことを特徴とする操作表示装置。
【００２３】
［８］前記第１表示処理は、ポップアップウィンドウを表示する処理であり、
前記第２表示処理は、オブジェクトをスクロールさせて表示する処理であり、
前記表示制御部は、前記第１表示処理による表示と前記第２表示処理による表示の双方を行う場合に、前記第２表示処理にてスクロールさせるオブジェクトの少なくとも一部が見えるように、前記第１表示処理によりポップアップウィンドウを表示する
ことを特徴とする［１］乃至［６］のいずれか１つに記載の操作表示装置。
【００２４】
上記発明では、第１表示処理によるポップアップウィンドウの表示と第２表示処理によるオブジェクトのスクロール表示を同時に行っても、スクロールするオブジェクトをポップアップウィンドウがすべて覆い隠すことはないので、ユーザはオブジェクトのスクロール表示を視認することができる。
【００２５】
［９］前記表示制御部は、前記第１表示処理による表示と前記第２表示処理による表示の双方を行う場合に、前記第２表示処理によってスクロールさせるオブジェクトの該スクロール前の表示位置を記憶しておき、前記第１表示処理で表示したポップアップウィンドウの表示を肯定する操作を受けたとき、前記第２表示処理でスクロールさせたオブジェクトをスクロール前の位置に戻して表示する
ことを特徴とする［８］に記載の操作表示装置。
【００２６】
上記発明では、ポップアップウィンドウの表示を肯定する操作を受けた場合は、スクロール表示はユーザにとって不要な処理であったと判断し、スクロール表示をキャンセルし、オブジェクトをスクロール前の位置に戻す。これにより、ユーザは、不要なスクロール表示を別途の操作を行って元に戻す必要がなく、その手間が軽減される。
【００２７】
［１０］前記表示制御部は、前記第１表示処理による表示と前記第２表示処理による表示の双方を行っている状態で前記第２表示処理でスクロールさせたオブジェクトに対する操作を受けたとき、前記第１表示処理で表示したポップアップウィンドウを閉じる
ことを特徴とする［７］乃至［９］のいずれか１つに記載の操作表示装置。
【００２８】
上記発明では、スクロールを肯定する操作を受けた場合は、ポップアップウィンドウの表示はユーザにとって不要な処理であったと判断し、ポップアップウィンドウを閉じる。これにより、ユーザは、不要なポップアップウィンドウを別途の操作を行って閉じる必要がなく、その手間が軽減される。
【００２９】
［１１］前記第１表示処理は、前記表示部に表示される画面を別の画面に遷移させる処理であり、
前記第２表示処理は、オブジェクトをスクロールさせて表示する処理であり、
前記表示制御部は、前記第１表示処理による表示と前記第２表示処理による表示の双方を行う場合は、前記第２表示処理によってオブジェクトをスクロールさせた場合の前記オブジェクトの移動後の位置を演算して記憶しておくと共に前記第１表示処理による別の画面への遷移を実行し、遷移先の画面から元の画面に戻ったとき、前記移動後の位置に前記オブジェクトを移動させた表示を行う
ことを特徴とする［１］乃至［６］のいずれか１つに記載の操作表示装置。
【００３０】
上記発明では、第１表示処理が画面遷移で第２表示処理がスクロール表示の場合、第１表示処理による遷移先の画面には第２表示処理がスクロールの対象とするオブジェクトは表示されていない。そのため、第２表示処理によるスクロール表示は、遷移先の画面から元の画面に戻ったときに行われる。
【００３１】
［１２］タッチされた位置を検出するタッチパネル部と、
表示部と、
前記タッチパネル部にて第１操作を受けたとき、前記表示部にポップアップウィンドウを表示する処理である第１表示処理による表示を行い、前記タッチパネル部にて前記第１操作の要素を含む第２操作を受けたとき、前記表示部に前記第１表示処理による表示とオブジェクトをスクロールさせて表示する処理である第２表示処理による表示の双方を行う表示制御部と、
を有し、
前記表示制御部は、前記第１表示処理による表示と前記第２表示処理による表示の双方を行う場合に、前記第２表示処理にてスクロールさせるオブジェクトの少なくとも一部が見えるように、前記第１表示処理によりポップアップウィンドウを表示し、
前記表示制御部は、前記第１表示処理による表示と前記第２表示処理による表示の双方を行っている状態で前記第２表示処理でスクロールさせたオブジェクトに対する操作を受けたとき、前記第１表示処理で表示したポップアップウィンドウを閉じる
ことを特徴とする操作表示装置。
【００３２】
［１３］タッチされた位置を検出するタッチパネル部と、
表示部と、
前記タッチパネル部にて第１操作を受けたとき、前記表示部に表示される画面を別の画面に遷移させる第１表示処理によって前記タッチされた箇所に対応する情報の表示を行い、前記タッチパネル部にて前記第１操作の要素を含む第２操作を受けたとき、前記表示部に、前記第１表示処理による表示と、オブジェクトをスクロールさせて表示する第２表示処理による表示の双方を行う表示制御部と、
を有し、
前記表示制御部は、前記第１表示処理による表示と前記第２表示処理による表示の双方を行う場合は、前記第２表示処理によってオブジェクトをスクロールさせた場合の前記オブジェクトの移動後の位置を演算して記憶しておくと共に前記第１表示処理による別の画面への遷移を実行し、遷移先の画面から元の画面に戻ったとき、前記移動後の位置に前記オブジェクトを移動させた表示を行う
ことを特徴とする操作表示装置。
【００３３】
［１４］前記表示制御部は、前記第１表示処理による表示と前記第２表示処理による表示の双方を行った後、ユーザから前記第１表示処理と前記第２表示処理のいずれか一方を肯定する操作を受け付けたとき、他方の表示処理を終了させるもしくは他方の表示処理によって生じた表示の変化を元に戻す
ことを特徴とする［１３］に記載の操作表示装置。
【００３４】
［１５］前記表示制御部は、所定の指標に基づいて操作の種類を判定し、前記所定の指標の値が第１閾値未満の場合は、前記タッチパネル部にて第１操作を受けたと判定し、前記所定の指標の値が前記第１閾値以上かつ前記第１閾値より大きい第２閾値未満の範囲にある場合は、前記タッチパネル部にて第２操作を受けたと判定し、前記所定の指標の値が前記第２閾値以上の場合は、前記タッチパネル部にて第３操作を受けたと判定し、前記タッチパネル部にて第１操作を受けたとき、前記表示部に第１表示処理による表示を行い、前記タッチパネル部にて前記第２操作を受けたとき、前記表示部に前記第１表示処理による表示と第２表示処理による表示の双方を行い、前記タッチパネル部にて第３操作を受けたとき、前記第１表示処理を行わずに、前記第２表示処理による表示を行う
ことを特徴とする［１３］または［１４］に記載の操作表示装置。
【００３５】
［１６］前記第１操作は、特定箇所にタッチする選択操作であり、
前記第２操作は、タッチした後そのタッチ箇所を移動させる動作を伴う操作である
ことを特徴とする［１３］乃至［１５］のいずれか１つに記載の操作表示装置。
【００３６】
［１７］前記表示制御部は、タッチ箇所の移動距離が第１閾値未満の場合は前記第１操作を受けたと判定して前記第２表示処理による表示は行わずに前記第１表示処理による表示を行い、タッチ箇所の移動距離が第１閾値以上かつ第１閾値より大きい第２閾値未満の範囲にあるときは前記第２操作を受けたと判定して前記第１表示処理による表示と前記第２表示処理による表示の双方を行い、タッチ箇所の移動距離が前記第２閾値以上の場合は第３操作を受けたと判定して前記第１表示処理による表示は行わずに前記第２表示処理による表示を行う
ことを特徴とする［１６］に記載の操作表示装置。
【発明の効果】
【００３７】
本発明に係る操作表示装置によれば、タッチパネルにおける操作性が向上する。たとえば、誤判定された操作をユーザがやり直す手間や不便が軽減される。
【図面の簡単な説明】
【００３８】
【図１】本発明の第１の実施の形態に係る操作表示装置を含む複合機の概略構成を示すブロック図である。
【図２】第１の実施の形態に係る操作表示部がユーザの指先やペンなどで操作を受けたときに行う処理の流れを示す流れ図である。
【図３】コピー画面において、移動量ゼロの選択操作をユーザから受ける様子の一例を示す図である。
【図４】図３にてペーパー設定の操作ボタンの選択操作を受けた直後の表示状態を示す図である。
【図５】コピー画面において、移動量のある操作をユーザから受ける様子の一例を示す図である。
【図６】図５に示す移動量を伴う操作をペーパー設定の操作ボタンに対して受けた後の表示状態を示す図である。
【図７】操作ボタン群の一部が見えるようにしてポップアップウィンドウを更に大きくした場合の表示画面を示す図である。
【図８】検出される移動量に基づく操作の区分を示す図である。
【図９】第２の実施の形態に係る操作表示部がユーザの指先やペンなどで操作を受けたときに行う処理の流れを示す流れ図である。
【図１０】コピー画面においてフリック操作を受けた場合の表示状態を示す図である。
【図１１】図６の表示状態にて確定ボタンが操作された場合の表示の変化を示す図である。
【図１２】図６の表示状態にてスクロール対象領域に対する操作を受けた場合の表示の変化を示す図である。
【図１３】第３の実施の形態に係る操作表示部がユーザの指先やペンなどで操作を受けたときに行う処理の流れを示す流れ図である。
【図１４】第１表示処理によって画面遷移が生じる場合の表示例を示す図である。
【発明を実施するための形態】
【００３９】
以下、図面に基づき本発明の各種実施の形態を説明する。
【００４０】
＜第１の実施の形態＞
図１は、本発明の第１の実施の形態に係る操作表示装置を含む複合機（ＭＦＰ）１０の概略構成を示すブロック図である。複合機１０は、原稿を光学的に読み取ってその複製画像を印刷出力するコピー機能、外部端末などから受信される印刷データに基づいて印刷するプリント機能、原稿を光学的に読み取って得た画像を保存等するスキャン機能、ファクシミリ機能などを備えた画像形成装置である。
【００４１】
複合機１０は、当該複合機１０の動作を統括的に制御するＣＰＵ(Central Processing Unit)１１を有している。ＣＰＵ１１にはバスを通じてＲＯＭ(Read Only Memory)１２と、ＲＡＭ(Random Access Memory)１３と、画像読取部１４と、プリンタ部１５と、画像処理部１６と、不揮発メモリ１７と、自動原稿搬送部１８と、ファクシミリ通信部１９と、ネットワーク通信部２１と、操作表示部３０とが接続されている。
【００４２】
ＣＰＵ１１は、ＯＳ（Operating System）プログラムをベースとし、その上で、ミドルウェアやアプリケーションプログラムなどを実行する。また、ＣＰＵ１１は、本発明に係る操作表示装置としての操作表示部３０の表示内容を制御する機能も果たす。
【００４３】
ＲＯＭ１２には、各種のプログラムが格納されており、これらのプログラムに従ってＣＰＵ１１が各種処理を実行することで複合機１０の各機能が実現される。
【００４４】
ＲＡＭ１３は、ＣＰＵ１１がプログラムに基づいて処理を実行する際に各種のデータを一時的に格納するワークメモリや画像データを格納する画像メモリなどとして使用される。
【００４５】
画像読取部１４は、原稿を光学的に読み取って画像データを取得する機能を果たす。画像読取部１４は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００４６】
プリンタ部１５は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタのエンジン部として構成されている。画像形成は他の方式でもかまわない。
【００４７】
画像処理部１６は、画像の拡大縮小、回転などの処理のほか、印刷データをイメージデータに変換するラスタライズ処理、画像データの圧縮、伸張処理などを行う。
【００４８】
不揮発メモリ１７は、電源をオフにしても記憶内容が破壊されないメモリ（フラッシュメモリ）であり、各種設定情報の保存などに使用される。
【００４９】
自動原稿搬送部１８は、原稿台にセットされた原稿をその最上のものから１枚ずつ順に繰り出して搬送し、画像読取部１４の読み取り位置を通過させて所定の排紙位置へ排紙する機能を果たす。
【００５０】
ファクシミリ通信部１９は、ファクシミリ機能を備えた外部装置と公衆回線を通じて画像データを送受信する機能を果たす。
【００５１】
ネットワーク通信部２１は、ＬＡＮ(Local Area Network)などのネットワークを通じて端末装置やその他の外部装置との間でデータを通信する機能を果たす。
【００５２】
操作表示部３０は、表示部３１と、操作部３２とを備えている。このうち操作部３２は、スタートボタンなどのスイッチ部３３とタッチパネル部３４とを備えている。表示部３１は、液晶ディスプレイ（ＬＣＤ…Liquid Crystal Display）などで構成され、各種の操作画面、設定画面などを表示する機能を果たす。
【００５３】
タッチパネル部３４は、表示部３１の表示面上に設けられている。タッチパネル部３４は、タッチペンや指先などで表示面（実際には表示面上のタッチパネルであるが、表示面と表記する）が押下された座標位置を検出する。なお、指先などで表示面に触れる行為をタッチ、指先などを表示面から離す行為をリリースと呼ぶことにする。また、以後は、指先で表示面に触れるものとして説明する。
【００５４】
複合機１０の操作表示部３０は、タッチパネル部３４への操作として、選択操作、フリック操作、ドラッグ操作など複数種類の操作を受け付ける。
【００５５】
選択操作は、指先で表示面にタッチした後、そのタッチした箇所から指先を移動させずに、もしくはほとんど移動させずに表示面からリリースする動作である。フリック操作は、指先などで表示面をタッチした後、その指を払うように移動させて表示面からリリースする操作である。ドラッグ操作は、指先などで表示面をタッチした後、タッチした状態のまま指先を目的の場所まで移動させ、移動をほぼ停止させた状態で表示面から指先をリリースする動作である。
【００５６】
次に、操作表示部３０のタッチパネル部３４にて、選択操作やフリック操作を受けた場合の表示処理について説明する。
【００５７】
図２は、第１の実施の形態に係る操作表示部３０がユーザの指先やペンなどで操作を受けたときに行う処理の流れを示している。第１の実施の形態に係る操作表示部３０は、タッチパネル部３４にて第１操作を受けたとき、表示部３１に第１表示処理による表示を行い、タッチパネル部３４にて第１操作の要素を含む第２操作を受けたとき、表示部３１に第１表示処理による表示と第２表示処理による表示の双方を行うようになっている。
【００５８】
ここで、第１操作の要素を含むとは、第２操作が第１操作の全体を含む場合のほか、第１操作の一部を含む場合も含まれる。要素とは、タッチ、移動、押下時間など操作を構成する任意の要素である。たとえば、第１操作に続けて何らかの動作を付加した操作は、第１操作の要素を含む第２操作である。言い換えると、第２操作を途中で止めた場合に第１操作になるような関係のとき、第２操作は第１操作の要素を含む操作と言える。「タッチする」という要素で構成された選択操作を第１操作とするとき、フリック操作やドラッグ操作は、「タッチする」という選択操作の要素を含み、これに「移動する」という要素を組み合わせた第２操作となっている。
【００５９】
操作表示部３０はタッチパネル部３４にてタッチから始まる何らかの操作を受けると、その操作におけるタッチした状態の指先の移動量を求める（ステップＳ１０１）。たとえば、タッチされた位置と指先がタッチパネル部３４から離れた位置との直線距離、もしくはタッチ箇所の移動軌跡の長さを移動量として求める。なお、移動量は、タッチした位置が操作ボタンなどを配列した領域の場合にはその操作ボタンをスクロール表示する方向の成分で求める。たとえば、横方向に操作ボタンが配列されている領域に対する操作については、横方向成分の移動量を求める。
【００６０】
今回の操作における移動量がゼロならば（ステップＳ１０２；Ｎｏ）、選択操作（第１操作）を受けたと判断し、選択操作に対応する第１表示処理を実行する（ステップＳ１０３）。
【００６１】
一方、移動量が少しでもある場合は第２操作を受けたと判断し（ステップＳ１０２；Ｙｅｓ）、選択操作に対応した第１表示処理と、これとは別の第２表示処理の双方を実行する（ステップＳ１０４）。ここでは、第２表示処理は、フリック操作もしくはドラッグ操作に対応する表示処理とする。すなわち、選択操作（第１操作）は「タッチ」という要素で構成された操作であり、第２操作は「タッチした後、移動させる」という操作であり、第１操作の要素（「タッチする」）を含む操作になっている。なお、ステップＳ１０２では、移動量がゼロより大きいか否かを判断しているが、これに代えて、所定の微量移動量（たとえば、２ｍｍ）を閾値とし、該閾値より移動量が大きいか否かを判断するようにしてもよい。
【００６２】
図３は、操作表示部３０の表示部３１上のタッチパネル部３４において、選択操作をユーザから受ける様子の一例を示している。図３は、コピー機能に関する各種の設定を行うためのコピー画面４０にて選択操作を受ける様子を示している。以後、このコピー画面４０に対して何らかの操作を行う場合を例に説明する。
【００６３】
コピー画面４０の下部には、設定項目を選択するための操作ボタン４１が横一列に複数配列されている。操作ボタン４１は多数存在し、一度に全部の操作ボタン４１をコピー画面４０の下部に表示することはできない。図３では、画面下部の右端に、操作ボタン４１の一部分が表示されており、右方向に隠れた操作ボタン４１が並んでいることを示している。図３は、ペーパー設定の操作ボタン４１ｄをユーザが指先で選択操作する様子を示している。なお、コピー画面４０の下部に表示される複数の操作ボタン４１をまとめて、操作ボタン群４１と呼ぶものとする。
【００６４】
図４は、図３にてペーパー設定の操作ボタン４１ｄの選択操作を受けた直後の表示状態を示している。ペーパー設定の操作ボタン４１ｄの選択操作を受けると（図２、ステップＳ１０２；Ｎｏに相当）、その選択操作に対応する第１表示処理が行われて（図２、ステップＳ１０３に相当）、図４に示すように、コピー画面４０上にポップアップウィンドウ５０が表示される。
【００６５】
このポップアップウィンドウ５０には、給紙トレイを選択するためのトレイ選択ボタンや、給紙トレイに関する各種の設定（たとえば、紙の種類、坪量などの設定）を行うためのトレイ設定ボタンなどの操作ボタン５１が表示される。またポップアップウィンドウ５０の下部には、確定ボタン５３とキャンセルボタン５４が表示される。確定ボタン５３が押下されると、ポップアップウィンドウ５０での選択や設定の内容を確定させてポップアップウィンドウ５０を閉じる処理が行われる。キャンセルボタン５４が押下されると、ポップアップウィンドウ５０での選択や設定の内容を破棄してポップアップウィンドウ５０を閉じる処理が行われる。
【００６６】
図５は、コピー画面４０において、移動量のある操作をユーザから受ける様子の一例を示している。図５は、図３に示すコピー画面４０の状態にてペーパー設定の操作ボタン４１ｄにユーザがタッチし、タッチしたまま指先を操作ボタン４１の約１個分だけ左方向に移動させる操作を行った状態を示している。指位置Ａは、タッチ開始位置を示し、指位置Ｂは左方向に移動させた後の指位置を示している。
【００６７】
図６は、図５に示す移動量を伴う操作をペーパー設定の操作ボタン４１ｄに対して受けた後の表示状態を示している。ペーパー設定の操作ボタン４１ｄに対して移動量を伴う操作を受けると（図２、ステップＳ１０２；Ｙｅｓに相当）、その操作に対応して、第１表示処理と第２表示処理が行われて（図２、ステップＳ１０４に相当）、図６に示す表示状態になる。すなわち、ペーパー設定の操作ボタン４１ｄに対する選択操作を受けた場合に対応する第１表示処理が実行されてコピー画面４０上にポップアップウィンドウ５０が表示される。また、第２表示処理が実行されてコピー画面４０下部の操作ボタン群４１が左方向へスクロール移動する。
【００６８】
なお、第１表示処理によるポップアップウィンドウ５０の表示と第２表示処理による操作ボタン４１のスクロール表示の双方を行う場合は、ポップアップウィンドウ５０がスクロール対象の操作ボタン４１を全て覆い隠さないようにされる。すなわち、スクロール表示される操作ボタン群４１の一部が見えるようにする。好ましくは個々の操作ボタン４１それぞれの少なくとも一部が見えるようにする。
【００６９】
このように第１の実施の形態では、少しでも移動量のある操作を受けた場合に、選択操作に対応する第１表示処理（ポップアップウィンドウ５０の表示）と、移動を伴う操作に関する第２表示処理（スクロール表示）の双方が行われる。これにより、たとえば、ユーザの行った移動を伴う操作が、（１）選択操作を意図した操作であったが指が僅かに移動してしまった操作、（２）フリック操作を意図したが指の払いを上手くできずに移動量が少しになった操作、などであっても、第１表示処理と第２表示処理のいずれかはユーザの意図した操作に対応する表示処理になる。そのため、ユーザは操作をやり直すことなく、自分の意図した操作に対応する表示に対して操作を続ければよく、操作をやり直す場合に比べて、操作性・利便性が向上する。
【００７０】
たとえば、図６の例では、ユーザの意図した操作がペーパー設定の操作ボタン４１ｄの選択操作であれば、ユーザは表示されたポップアップウィンドウ５０に対して操作を行えばよい。一方、ユーザの意図した操作がフリック操作であれば、たとえば、スクロール表示によって現われた拡大設定の操作ボタン４１ｅに対して操作を行うなどすればよい。
【００７１】
また、第１表示処理と第２表示処理の双方を行う場合において、選択操作に対応して第１表示処理によって表示されるポップアップウィンドウ５０を、スクロール移動される操作ボタン群４１が見えるように表示するので、ポップアップウィンドウ５０が表示された状態でも操作ボタン群４１のスクロール状態をユーザは認識することができる。このため、ユーザの意図した操作がフリック操作であった場合でも、見えている操作ボタン４１に対して操作を行うことができ、スムーズに次の操作に移ることができる。
【００７２】
上記の場合、操作ボタン群４１は全体が見えるようにする必要はなく、見えるようにするのは一部でもよい。たとえば、図７に示すように、操作ボタン群４１の一部が見えるようにして、ポップアップウィンドウ５０を更に大きくしてもよい。
【００７３】
なお、第２表示処理の種類を、移動量を伴う操作がフリック系の操作かドラッグ系の操作かを判別して切り替えるようにしてもよい。たとえば、フリック系の操作の場合は指がリリースされた位置よりもさらにスクロール移動を減速しながら行うようにする。ドラッグ系の操作の場合は指がリリースされた位置でスクロール移動を停止するようにする。フリック系かドラッグ系かの判定は、たとえば、リリース時の移動速度が一定以上ならばフリック系、未満ならばドラッグ系と判定するといった方法で行うことができる。
【００７４】
＜第２の実施の形態＞
第１の実施の形態では少しでも指の移動量があった場合と、移動量がゼロの場合、というように移動量を２つに区分して操作の種類を判定したが、第２の実施の形態では、ユーザから受けた操作を、移動量を３つに区分して判定する。なお、複合機１０、操作表示部３０の構成などは第１の実施の形態と同様であり、それらの説明は省略する。
【００７５】
タッチ後の移動量が十分小さい場合は選択操作であると判定でき、一方、移動量が十分大きい場合はフリック（もしくはドラッグ）操作であると明らかに判定することができる。しかし、移動量が中途半端な場合は、ユーザの意図した操作が選択操作かフリック操作（もしくはドラッグ操作）かを明確に判定することは難しい。そこで、第２の実施の形態では、選択操作かフリック操作（もしくはドラッグ操作）かを明らかに判定可能な場合は、その判定結果の操作に対応する表示処理を行い、明確に判定できない場合のみ、第１表示処理と第２表示処理の双方を実行する。なお、ここでは、移動量が一定以上の操作はフリック操作であるとして説明する。
【００７６】
図８は、検出される移動量に基づく操作の区分を示している。移動量ｄｘが、ｐ１≦ｄｘ＜ｐ２の領域は判定の難しい難判定領域６２、ｄｘ＜ｐ１の領域は、選択操作と判断する選択領域６１、ｐ２≦ｄｘの領域はフリック操作と判断するフリック領域６３、になっている。
【００７７】
移動量を基準に見たとき、移動量が難判定領域６２に入る操作は、選択操作（移動量がｐ１未満の操作）とフリック操作（移動量がｐ２以上の操作）との中間の操作になっている。中間の操作は、はっきり区別可能な操作Ａと操作Ｂの双方に類似して両方に紛らわしい操作とも言える。一般的に言えば、操作の種類を所定の指標（移動量、ＯＮ時間、移動軌跡の形状、これらの組み合わせなど）で判断する場合にこの指標の値が第１閾値未満の操作を操作Ａ、第２閾値以上の操作を操作Ｂとしたとき、該指標の値が第１閾値以上かつ第２閾値未満の範囲にある操作は操作Ａと操作Ｂの中間の操作となる。また、第３操作を途中で止めた場合に第２操作になり、第２操作をその途中で止めた場合に第１操作となるような関係のとき、第２操作は第１操作と第３操作の中間の操作である。
【００７８】
図９は、第２の実施の形態に係る操作表示部３０がユーザの指先やペンなどで操作を受けたときに行う処理の流れを示している。操作表示部３０はタッチパネル部３４にてタッチから始まる何らかの操作を受けると、その操作におけるタッチした状態の指先の移動量ｄｘを求める（ステップＳ２０１）。
【００７９】
今回の操作における移動量ｄｘがｐ１未満、すなわち、選択領域６１にある場合は（ステップＳ２０２；Ｙｅｓ）、選択操作を受けたと判断し、選択操作に対応する第１表示処理を実行する（ステップＳ２０３）。図３のコピー画面４０のペーパー設定の操作ボタン４１ｄに対して上記の操作を受けた場合、第１表示処理が行われ、ポップアップウィンドウ５０が表示されて図４の表示状態になる。
【００８０】
一方、移動量ｄｘがｐ１以上かつｐ２未満、すなわち、難判定領域６２にある場合は（ステップＳ２０４；Ｙｅｓ）、選択操作に対応した第１表示処理と、フリック操作に対応した第２表示処理の双方を実行する（ステップＳ２０５）。この操作を図３のコピー画面４０で受けた場合、第１表示処理によってポップアップウィンドウ５０が表示されると共に第２表示処理により操作ボタン４１がスクロール移動して、図６に示すような表示状態になる。
【００８１】
移動量ｄｘがｐ２以上、すなわち、フリック領域６３にある場合は（ステップＳ２０４；Ｎｏ）、フリック操作に対応した第２表示処理を実行する（ステップＳ２０６）。この操作を図３のコピー画面４０で受けた場合、第２表示処理により操作ボタン４１がスクロール移動して、図１０に示すような表示状態になる。
【００８２】
このように第２の実施の形態では、ユーザから受けた操作が選択操作かフリック操作かの判定が困難な場合のみ、選択操作に対応した第１表示処理とフリック操作に対応した第２表示処理の双方を行い、ユーザから受けた操作が選択操作であるかフリック操作であるかを明らかに判定できるときは、それぞれの操作に対応した表示処理のみ行うので、無駄な表示がなく、操作性がより一層向上する。
【００８３】
＜第３の実施の形態＞
第３の実施の形態は、第１、第２の実施の形態に対し、第１表示処理と第２表示処理の双方が行われた後、一方の表示処理を肯定する操作を受けた場合に、他方の表示処理をキャンセルする（処理前の元の状態に戻す）処理を加えている。その他は第１、第２の実施の形態と同様である。
【００８４】
ここでは、コピー画面４０のペーパー設定の操作ボタン４１ｄに対する操作に起因して、第１表示処理（ポップアップウィンドウ５０の表示）と第２表示処理（操作ボタン群４１のスクロール表示）の双方が行われた結果、図６の表示状態になっているものとする。
【００８５】
［第１表示処理が肯定された場合］
図６の表示状態で、ユーザがポップアップウィンドウ５０内の操作ボタン５１を操作したときやポップアップウィンドウ５０にある確定ボタン５３を操作した場合、ユーザは、このポップアップウィンドウ５０を表示する第１表示処理の実行を肯定していると考えられる。すなわち、ユーザは、ペーパー設定の操作ボタン４１ｄに対して選択操作を行う意図であったと判断できる。
【００８６】
この場合、ポップアップウィンドウ５０を表示する際に同時に実行した第２表示処理（スクロール表示）は否定されるので、ここでは、ポップアップウィンドウ５０を閉じるときに、スクロール移動させる前の位置に、操作ボタン群４１を戻す制御を行う。なお、スクロールさせた操作ボタン群４１を元の位置に戻す処理は、第１表示処理に対する肯定操作を受けた時点で行ってもよい。
【００８７】
図１１（ａ）は、図６の表示状態にて確定ボタン５３が操作された様子を示しており、図１１（ｂ）は、否定されたスクロール表示をキャンセルするために、操作ボタン群４１をスクロールさせる前の位置に戻す様子を示している。戻す際に、戻る様子を表示してもよいし、戻した後の状態を直ちに表示してもよい。
【００８８】
［第２表示処理が肯定された場合］
図６の表示状態で、ユーザが操作ボタン群４１のある領域に対して操作を行った場合、ユーザは、操作ボタン群４１をスクロール移動させた第２表示処理の実行を肯定したことになる。すなわち、ユーザは、フリック操作を行う意図であったと判断できる。
【００８９】
この場合、ポップアップウィンドウ５０を表示する第１表示処理は否定されるので、ポップアップウィンドウ５０を閉じる制御を行う。
【００９０】
図１２（ａ）は、図６の表示状態にて操作ボタン群４１のあるスクロール対象領域７１（図中、破線で囲む領域、なお、実際の表示では破線は表示されない）に対しユーザが操作を行った様子を示している。図１２（ｂ）は、この操作によって否定されたポップアップウィンドウ５０を閉じた様子を示している。操作ボタン群４１は第２表示処理によってスクロールされた位置に表示されている。
【００９１】
なお、ポップアップウィンドウ５０内の操作ボタン５１が何も操作されずにキャンセルボタン５４が操作された場合、ユーザはポップアップウィンドウ５０を表示する第１表示処理を否定したことになるが、この場合、キャンセルボタン５４の操作によってポップアップウィンドウ５０は閉じられるので、別途の処理を行う必要はない。
【００９２】
このように、第１表示処理と第２表示処理の双方を行った後に、いずれか一方の表示処理を肯定する操作を受けたとき、肯定されなかった他方の表示処理による表示を自動的にキャンセルしてその表示処理が行われる前の状態に戻すので、ユーザは、意図していない方の操作に対応する表示処理をキャンセルするための別途の操作を行う必要がない。これにより、さらに操作性が向上する。
【００９３】
図１３は、第３の実施の形態に係る操作表示部３０がユーザの指先やペンなどで操作を受けたときに行う処理の流れを示している。操作表示部３０はタッチパネル部３４にてタッチから始まる何らかの操作を受けると（ステップＳ３０１）、その操作におけるタッチした状態での指先の移動量ｄｘから、今回受けた操作が、移動量ｄｘが選択領域６１にある選択操作であるか、移動量ｄｘが難判定領域６２にある難判定操作であるか、移動量ｄｘがフリック領域６３にあるフリック操作であるかを判定する（ステップＳ３０２）。
【００９４】
選択操作またはフリック操作と判定した場合（ステップＳ３０２；Ｎｏ）、それぞれの操作に対応する表示処理を行って（ステップＳ３０３）処理を終了する。今回受けた操作が難判定操作であった場合は（ステップＳ３０２；Ｙｅｓ）、現在の操作ボタン群４１の位置を元のボタンの位置として記憶する（ステップＳ３０４）。その後、フリック操作に対応する第２表示処理（スクロール表示）を行う（ステップＳ３０５）と同時に、選択操作に対応する第１表示処理（ポップアップウィンドウ５０の表示）を行う（ステップＳ３０６）。
【００９５】
その後、ユーザから何らかの操作を受けるのを待ち、受けた操作が確定ボタン５３に対する操作など第１表示処理を肯定する操作の場合は（ステップＳ３０７；Ｙｅｓ）、第２表示処理によってスクロール移動させた操作ボタン群４１を、ステップＳ３０４で記憶した元のボタンの位置に戻す制御を行う（ステップＳ３０８）。さらに、確定ボタン５３が操作されたので、ポップアップウィンドウ５０を閉じて（ステップＳ３１２）、処理を終了する。
【００９６】
スクロール対象領域７１に対する操作を受けた場合、たとえば、フリック操作が成された場合は（ステップＳ３０９；Ｙｅｓ）、操作ボタン４１をスクロール移動させる処理を行う（ステップＳ３１０）と共に、上記操作によって第１表示処理は否定されたので、ポップアップウィンドウ５０を閉じて（ステップＳ３１２）処理を終了する。
【００９７】
ポップアップウィンドウ５０のキャンセルボタン５４に対する操作を受けた場合は（ステップＳ３１１；Ｙｅｓ）、ポップアップウィンドウ５０を閉じて（ステップＳ３１２）処理を終了する。
【００９８】
＜第４の実施の形態＞
第１〜第３の実施の形態では、第１表示処理の処理内容がポップアップウィンドウ５０の表示である場合を例に説明したが、第４の実施の形態では第１表示処理により、別の画面への画面遷移が行われる。たとえば、コピー画面４０において、いずれかの操作ボタン４１の選択操作を受けると、別の画面に遷移する。
【００９９】
図１４は、第１表示処理によって画面遷移が生じる場合の表示例を示している。図１４では、コピー画面４０においてペーパー設定の操作ボタン４１ｄが操作された場合を示している。この操作により、第１表示処理と第２表示処理の双方が実行されるものとする。
【０１００】
第１表示処理により画面遷移が生じ、図１４（ｂ）に示すように、ペーパー設定画面８０が操作表示部３０の表示部３１に表示される。このように画面全体が切り替わると、コピー画面４０にあった操作ボタン群４１は表示されないので、操作ボタン群４１のスクロール移動をペーパー設定画面８０上で行うことはできない。
【０１０１】
そこで、コピー画面４０においてペーパー設定の操作ボタン４１ｄに対する操作を受けた時点で、その操作に基づいてスクロール移動させた場合の操作ボタン群４１の移動後の位置を計算して、記憶する。その後、ペーパー設定画面８０においてユーザが何らかの操作（たとえば、ＯＫボタン８１やキャンセルボタン８２の押下操作）を行ってペーパー設定画面８０から元のコピー画面４０に画面遷移する事象が生じると、コピー画面４０を表示する。このコピー画面４０では、同図（ｃ）に示すように、先ほど記憶しておいたスクロール移動後の位置に操作ボタン群４１を表示する。あるいは、コピー画面４０に戻った後、操作ボタン群４１をスクロール移動させてもよい。
【０１０２】
なお、画面遷移先のペーパー設定画面８０において、当該画面遷移を肯定する操作が行われた場合は、コピー画面４０に戻ったときに、操作ボタン群４１を元のボタンの位置のままにしてもよい。これにより、否定された表示処理が自動的にキャンセルされるので、操作性が向上する。なお、ペーパー設定画面８０において否定的操作を受けた場合、たとえば、他の操作を受ける前にキャンセルボタン８２が操作された場合は、スクロール表示が肯定されたことになるので、コピー画面４０に戻った際に、操作ボタン群４１を先ほど記憶しておいたスクロール移動後の位置に表示する。
【０１０３】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１０４】
実施の形態では、複合機１０に設けられた操作表示部３０を例に説明したが、本発明に係る操作表示装置は、他の装置に設けられてもよく、また、装置本体と別体の操作表示装置として構成されてもよい。
【０１０５】
実施の形態では、第１表示処理の起因となる第１操作をタッチの要素を含みかつ移動を伴わない（もしくは移動量が僅かの）選択操作とし、第１表示処理と第２表示処理の双方を実行する起因となる第２操作を第１操作の要素であるタッチを含みかつタッチ箇所の移動を伴う操作（移動量ゼロ以上の操作や難判定操作）としたが、第１操作、第２操作はこれらに限定されるものではない。たとえば、短時間の押下操作を第１操作、この第１操作よりも長い時間の押下操作を第２操作としてもよい。すなわち、この第２操作は、所定時間押下するという第１操作の要素を含みこれにさらに所定時間押下するという動作を加えた操作になっている。
【０１０６】
また押下時間をｔとしたとき、ｔ＜ｔ１の場合を第１操作、ｔ１≦ｔ＜ｔ２の場合を第２操作、ｔ２≦ｔの場合を第３操作とし、第１操作の場合は第１表示処理を、第２操作の場合は第１表示処理と第２表示処理の双方を、第３操作の場合は第２表示処理を実行する、といった構成でもよい。この場合、第２操作、第３操作はともにｔ１時間未満のタッチという第１操作の要素を含み、これにさらにタッチを継続するという要素を付加した動作になっており、タッチの継続時間を操作の種類を判定する指標としたとき、第２操作は、第１操作と第３操作の中間の操作となっている。
【０１０７】
また、たとえば、第１表示処理が行われる第１操作をタッチした指を移動させて行う範囲選択操作とし、第２表示処理が行われる第３操作をタッチした指を移動させた後、払うように離すフリック操作とし、リリース直前の動作が指を払う動作か否かの判別が難しいような操作を第１表示処理と第２表示処理の双方が行われる第２操作とする、といった態様でもかまわない。
【０１０８】
また、たとえば、第１表示処理が行われる第１操作を円を描く操作とし、第２表示処理が行われる第３操作を四角形を描く操作とし、円か四角形かの判別の難しい曖昧な図形を描く操作を第１表示処理と第２表示処理の双方が行われる第２操作、などとしてもよい。
【０１０９】
また、第１表示処理、第２表示処理の処理内容は実施の形態で例示したものに限定されない。表示されている画像を、拡大や縮小する処理、回転させる処理、変形させる処理などでもよいし、さらには、他のアプリケーションを起動して表示する処理、たとえば、辞書を開いて表示する処理などでもかまわない。
【符号の説明】
【０１１０】
１０…複合機
１１…ＣＰＵ
１２…ＲＯＭ
１３…ＲＡＭ
１４…画像読取部
１５…プリンタ部
１６…画像処理部
１７…不揮発メモリ
１８…自動原稿搬送部
１９…ファクシミリ通信部
２１…ネットワーク通信部
３０…操作表示部
３１…表示部
３２…操作部
３３…スイッチ部
３４…タッチパネル部
４０…コピー画面
４１…操作ボタン、操作ボタン群
４１ｄ…ペーパー設定の操作ボタン
４１ｅ…拡大設定の操作ボタン
５０…ポップアップウィンドウ
５１…操作ボタン
５３…確定ボタン
５４…キャンセルボタン
６１…選択領域
６２…難判定領域
６３…フリック領域
７１…スクロール対象領域
８０…ペーパー設定画面
８１…ＯＫボタン
８２…キャンセルボタン
Ａ…タッチ開始時の指位置
Ｂ…左方向に移動させた後の指位置
【図１】
2015207295.tif 000003
【図２】
2015207295.tif 000004
【図３】
2015207295.tif 000005
【図４】
2015207295.tif 000006
【図５】
2015207295.tif 000007
【図６】
2015207295.tif 000008
【図７】
2015207295.tif 000009
【図８】
2015207295.tif 000010
【図９】
2015207295.tif 000011
【図１０】
2015207295.tif 000012
【図１１】
2015207295.tif 000013
【図１２】
2015207295.tif 000014
【図１３】
2015207295.tif 000015
【図１４】
2015207295.tif 000016
【手続補正書】
【提出日】平成27年6月26日(2015.6.26)
【手続補正１】
【補正対象書類名】特許請求の範囲
【補正対象項目名】全文
【補正方法】変更
【補正の内容】
【特許請求の範囲】
【請求項１】
タッチされた位置を検出するタッチパネル部と、
表示部と、
前記タッチパネル部にて第１操作を受けたとき、前記表示部に第１表示処理を行い、前記タッチパネル部にて前記第１操作の要素を含む第２操作を受けたとき、前記表示部に、前記第１表示処理による表示と第２表示処理による表示の双方を行い、前記タッチパネル部にて第３操作を受けたとき、前記表示部において、前記第１表示処理による表示を行わずに前記第２表示処理による表示を行う制御部と、
を有し、
前記第２操作は、前記第１操作とも第３操作とも判定できない操作である
ことを特徴とする操作表示装置。
【請求項２】
前記制御部は、
前記タッチパネル部にてオブジェクトに対する前記第１操作を受けたとき、前記表示部に前記オブジェクトに関するポップアップウィンドウを表示する第１表示処理を行い、前記タッチパネル部にて前記第２操作をオブジェクトに対して受けたとき、前記表示部に、前記オブジェクトに関するポップアップウィンドウを表示する第１表示処理を行うと共に前記オブジェクトをスクロールさせる第２表示処理を行う
ことを特徴とする請求項１に記載の操作表示装置。
【請求項３】
前記制御部は、
前記タッチパネル部にて前記第３操作をオブジェクトに対して受けたとき、前記オブジェクトをスクロールさせる第２表示処理を行う
ことを特徴とする請求項１又は２に記載の操作表示装置。
【請求項４】
前記第１操作は、特定箇所にタッチする選択操作であり、
前記第２操作は、タッチした後そのタッチ箇所を移動させる動作を伴う操作である
ことを特徴とする請求項１乃至３のいずれか１つに記載の操作表示装置。
【請求項５】
前記制御部は、前記第１表示処理と前記第２表示処理の双方を行う場合に、前記第２表示処理にてスクロールさせるオブジェクトの少なくとも一部が見えるように、前記第１表示処理によりポップアップウィンドウを表示する
ことを特徴とする請求項１乃至４のいずれか１つに記載の操作表示装置。
【手続補正２】
【補正対象書類名】明細書
【補正対象項目名】００１２
【補正方法】変更
【補正の内容】
【００１２】
［１］タッチされた位置を検出するタッチパネル部と、
表示部と、
前記タッチパネル部にて第１操作を受けたとき、前記表示部に第１表示処理を行い、前記タッチパネル部にて前記第１操作の要素を含む第２操作を受けたとき、前記表示部に、前記第１表示処理による表示と第２表示処理による表示の双方を行い、前記タッチパネル部にて第３操作を受けたとき、前記表示部において、前記第１表示処理による表示を行わずに前記第２表示処理による表示を行う制御部と、
を有し、
前記第２操作は、前記第１操作とも第３操作とも判定できない操作である
ことを特徴とする操作表示装置。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
［２］前記制御部は、
前記タッチパネル部にてオブジェクトに対する前記第１操作を受けたとき、前記表示部に前記オブジェクトに関するポップアップウィンドウを表示する第１表示処理を行い、前記タッチパネル部にて前記第２操作をオブジェクトに対して受けたとき、前記表示部に、前記オブジェクトに関するポップアップウィンドウを表示する第１表示処理を行うと共に前記オブジェクトをスクロールさせる第２表示処理を行う
ことを特徴とする［１］に記載の操作表示装置。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
［３］前記制御部は、
前記タッチパネル部にて前記第３操作をオブジェクトに対して受けたとき、前記オブジェクトをスクロールさせる第２表示処理を行う
ことを特徴とする［１］又は［２］に記載の操作表示装置。
【手続補正７】
【補正対象書類名】明細書
【補正対象項目名】００１７
【補正方法】変更
【補正の内容】
【００１７】
［４］前記第１操作は、特定の箇所にタッチする選択操作であり、
前記第２操作は、タッチした後そのタッチ箇所を移動させる動作を伴う操作である
ことを特徴とする［１］乃至［３］のいずれか１つに記載の操作表示装置。
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】変更
【補正の内容】
【００２３】
［５］前記制御部は、前記第１表示処理による表示と前記第２表示処理による表示の双方を行う場合に、前記第２表示処理にてスクロールさせるオブジェクトの少なくとも一部が見えるように、前記第１表示処理によりポップアップウィンドウを表示する
ことを特徴とする［１］乃至［４］のいずれか１つに記載の操作表示装置。
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正書】
【提出日】平成27年9月14日(2015.9.14)
【手続補正１】
【補正対象書類名】特許請求の範囲
【補正対象項目名】全文
【補正方法】変更
【補正の内容】
【特許請求の範囲】
【請求項１】
タッチされた位置を検出するタッチパネル部と、
表示部と、
前記タッチパネル部にて第１操作を受けたとき、前記表示部に第１表示処理を行い、前記タッチパネル部にて前記第１操作の要素を含む第２操作を受けたとき、前記表示部に、前記第１表示処理による表示と第２表示処理による表示の双方を行い、前記タッチパネル部にて第３操作を受けたとき、前記表示部において、前記第１表示処理による表示を行わずに前記第２表示処理による表示を行う制御部と、
を有し、
前記第２操作は、前記第１操作とも第３操作とも判定できない操作である
ことを特徴とする操作表示装置。
【請求項２】
前記制御部は、
前記タッチパネル部にてオブジェクトに対する前記第１操作を受けたとき、前記表示部に前記オブジェクトに関するポップアップウィンドウを表示する第１表示処理を行い、前記タッチパネル部にて前記第２操作をオブジェクトに対して受けたとき、前記表示部に、前記オブジェクトに関するポップアップウィンドウを表示する第１表示処理を行うと共に前記オブジェクトをスクロールさせる第２表示処理を行う
ことを特徴とする請求項１に記載の操作表示装置。
【請求項３】
前記制御部は、
前記タッチパネル部にて前記第３操作をオブジェクトに対して受けたとき、前記オブジェクトをスクロールさせる第２表示処理を行う
ことを特徴とする請求項１又は２に記載の操作表示装置。
【請求項４】
前記第１操作は、特定箇所にタッチする選択操作であり、
前記第２操作は、タッチした後そのタッチ箇所を移動させる動作を伴う操作である
ことを特徴とする請求項１乃至３のいずれか１つに記載の操作表示装置。
【請求項５】
前記制御部は、前記第１表示処理と前記第２表示処理の双方を行う場合に、前記第２表示処理にてスクロールさせるオブジェクトの少なくとも一部が見えるように、前記第１表示処理によりポップアップウィンドウを表示する
ことを特徴とする請求項１乃至４のいずれか１つに記載の操作表示装置。
【請求項６】
タッチされた位置を検出するタッチパネル部と表示部を備えた情報処理装置で実行されるプログラムであって、
前記タッチパネル部にて第１操作を受けたとき、前記表示部に第１表示処理を行う第１ステップと、
前記タッチパネル部にて前記第１操作の要素を含む第２操作を受けたとき、前記表示部に、前記第１表示処理による表示と第２表示処理による表示の双方を行う第２ステップと、
前記タッチパネル部にて第３操作を受けたとき、前記表示部において、前記第１表示処理による表示を行わずに前記第２表示処理による表示を行う第３ステップと、
を有し、
前記第２操作は、前記第１操作とも第３操作とも判定できない操作である
ことを特徴とするプログラム。
【請求項７】
前記第１ステップでは、前記タッチパネル部にてオブジェクトに対する前記第１操作を受けたとき、前記表示部に前記オブジェクトに関するポップアップウィンドウを表示する第１表示処理を行い、
前記第２ステップでは、前記タッチパネル部にて前記第２操作をオブジェクトに対して受けたとき、前記表示部に、前記オブジェクトに関するポップアップウィンドウを表示する第１表示処理を行うと共に前記オブジェクトをスクロールさせる第２表示処理を行う
ことを特徴とする請求項６に記載のプログラム。
【請求項８】
前記第３ステップでは、前記タッチパネル部にて前記第３操作をオブジェクトに対して受けたとき、前記オブジェクトをスクロールさせる第２表示処理を行う
ことを特徴とする請求項６又は７に記載のプログラム。
【請求項９】
前記第１操作は、特定箇所にタッチする選択操作であり、
前記第２操作は、タッチした後そのタッチ箇所を移動させる動作を伴う操作である
ことを特徴とする請求項６乃至８のいずれか１つに記載のプログラム。
【請求項１０】
前記第２ステップでは、前記第１表示処理と前記第２表示処理の双方を行う場合に、前記第２表示処理にてスクロールさせるオブジェクトの少なくとも一部が見えるように、前記第１表示処理によりポップアップウィンドウを表示する
ことを特徴とする請求項６乃至９のいずれか１つに記載のプログラム。
【手続補正３】
【補正対象書類名】明細書
【補正対象項目名】０００１
【補正方法】変更
【補正の内容】
【０００１】
本発明は、タッチパネルにて操作を受け、その受けた操作に応じた表示処理を行う操作表示装置およびプそのログラムに関する。
【手続補正４】
【補正対象書類名】明細書
【補正対象項目名】００１０
【補正方法】変更
【補正の内容】
【００１０】
本発明は、上記の問題を解決しようとするものであり、操作性の良いタッチパネル式の操作表示装置およびプログラムを提供することを目的としている。たとえば、誤判定された操作をユーザがやり直す手間や不便を軽減したり、１つの操作で２つの操作に係る表示処理を実行させたりすることのできる操作表示装置およびプログラムの提供を目的としている。
【手続補正５】
【補正対象書類名】明細書
【補正対象項目名】００２４
【補正方法】変更
【補正の内容】
【００２４】
上記発明では、第１表示処理によるポップアップウィンドウの表示と第２表示処理によるオブジェクトのスクロール表示を同時に行っても、スクロールするオブジェクトをポップアップウィンドウがすべて覆い隠すことはないので、ユーザはオブジェクトのスクロール表示を視認することができる。
［６］タッチされた位置を検出するタッチパネル部と表示部を備えた情報処理装置で実行されるプログラムであって、
前記タッチパネル部にて第１操作を受けたとき、前記表示部に第１表示処理を行う第１ステップと、
前記タッチパネル部にて前記第１操作の要素を含む第２操作を受けたとき、前記表示部に、前記第１表示処理による表示と第２表示処理による表示の双方を行う第２ステップと、
前記タッチパネル部にて第３操作を受けたとき、前記表示部において、前記第１表示処理による表示を行わずに前記第２表示処理による表示を行う第３ステップと、
を有し、
前記第２操作は、前記第１操作とも第３操作とも判定できない操作である
ことを特徴とするプログラム。
［７］前記第１ステップでは、前記タッチパネル部にてオブジェクトに対する前記第１操作を受けたとき、前記表示部に前記オブジェクトに関するポップアップウィンドウを表示する第１表示処理を行い、
前記第２ステップでは、前記タッチパネル部にて前記第２操作をオブジェクトに対して受けたとき、前記表示部に、前記オブジェクトに関するポップアップウィンドウを表示する第１表示処理を行うと共に前記オブジェクトをスクロールさせる第２表示処理を行う
ことを特徴とする［６］に記載のプログラム。
［８］前記第３ステップでは、前記タッチパネル部にて前記第３操作をオブジェクトに対して受けたとき、前記オブジェクトをスクロールさせる第２表示処理を行う
ことを特徴とする［６］又は［６］に記載のプログラム。
［９］前記第１操作は、特定箇所にタッチする選択操作であり、
前記第２操作は、タッチした後そのタッチ箇所を移動させる動作を伴う操作である
ことを特徴とする［６］乃至［８］のいずれか１つに記載のプログラム。
［１０］前記第２ステップでは、前記第１表示処理と前記第２表示処理の双方を行う場合に、前記第２表示処理にてスクロールさせるオブジェクトの少なくとも一部が見えるように、前記第１表示処理によりポップアップウィンドウを表示する
ことを特徴とする［６］乃至［９］のいずれか１つに記載のプログラム。
【手続補正６】
【補正対象書類名】明細書
【補正対象項目名】００３７
【補正方法】変更
【補正の内容】
【００３７】
本発明に係る操作表示装置およびプログラムによれば、タッチパネルにおける操作性が向上する。たとえば、誤判定された操作をユーザがやり直す手間や不便が軽減される。